(57)【要約】【課題】前カバーに対する光軸方向および光軸に直交する方向の鏡筒ユニットの位置決めを精度よく行うことができる撮像装置を提供する。【解決手段】撮影光学系を有する鏡筒ユニット２０１と、該鏡筒ユニット２０１を前記撮影光学系の光軸方向および光軸に直交する方向に移動可能に保持する構造体２１６と、撮像装置の前面側を覆う前カバー２０５とを備えた撮像装置において、前記鏡筒ユニット２０１は、前記前カバー２０５が組み付けられる際に、前記前カバー２０５によって前記前カバー２０５に対する光軸に直交する方向の位置が決められ、前記前カバー２０５に対する光軸方向の位置が決められるようにされている。【選択図】図１０
2006201321.tif 000002
【特許請求の範囲】
【請求項１】
撮影光学系を有する鏡筒ユニットと、該鏡筒ユニットを前記撮影光学系の光軸方向および光軸に直交する方向に移動可能に保持する構造体と、撮像装置の前面側を覆う前カバーとを備えた撮像装置において、
前記鏡筒ユニットは、前記前カバーが組み付けられる際に、前記前カバーによって前記前カバーに対する光軸に直交する方向の位置が決められ、前記前カバーに対する光軸方向の位置が決められることを特徴とする撮像装置。
【請求項２】
前記鏡筒ユニットの前記前カバーに対する光軸に直交する方向の位置決めを行う光軸直交方向位置決め手段は、前記前カバーが組み付けられる際に互いに係合する前記鏡筒ユニットの一部と前記前カバーの一部から成ることを特徴とする請求項１に記載の撮像装置。
【請求項３】
前記鏡筒ユニットの前記前カバーに対する光軸方向の位置決めを行う光軸方向位置決め手段は、前記鏡筒ユニットと前記前カバーとの間に配置された弾性体であることを特徴とする請求項１に記載の撮像装置。
【請求項４】
前記鏡筒ユニットの前記前カバーに対する光軸方向の位置決めを行う光軸方向位置決め手段は、前記構造体と前記鏡筒ユニットとの間に配置された弾性体であることを特徴とする請求項１に記載の撮像装置。
【請求項５】
前記弾性体は、前記鏡筒ユニットと前記前カバーの隙間から進入する光線を遮蔽することを特徴とする請求項３に記載の撮像装置。
【請求項６】
前記鏡筒ユニットの前記前カバーに対する光軸方向の位置決めを行う光軸方向位置決め手段は、前記鏡筒ユニットを係止するように前記前カバーに設けられたフック部であることを特徴とする請求項１に記載の撮像装置。
【請求項７】
前記前カバーは、アクセサリーレンズを取り付けることが可能であることを特徴とする請求項１〜６のいずれかに記載の撮像装置。
【請求項８】
前記光軸方向位置決め手段は、前記鏡筒ユニットの周囲に設けられていることを特徴とする請求項３〜６のいずれかに記載の撮像装置。
【発明の詳細な説明】
【技術分野】
【０００１】
本発明は、撮像装置に関し、特に鏡筒ユニットの位置決めに関するものである。
【背景技術】
【０００２】
カメラやビデオカメラなどの撮像装置には、一般に、内部に撮影レンズ群や撮像素子が配備されてユニット化された鏡筒ユニットと、その鏡筒ユニットが組み込まれるシャーシなどの構造体から成る撮像装置本体とが備えられている。撮像装置本体および鏡筒ユニットには前カバーや後カバーなどの外装カバーが組みつけられる。撮影効果を更に向上させるため、撮像装置本体に、着脱可能なテレコンバーターレンズ、ワイドコンバーターレンズ、クローズアップレンズなどのアクセサリーレンズを取り付けることのできる撮像装置が増えている（特許文献１参照）。テレコンバーターレンズなどのアクセサリーレンズ使用時には、撮像装置本体に備えられた鏡筒ユニットと、アクセサリーレンズ内に備えられたレンズの光軸を一致させることで、十分な光学性能が発揮される。
【０００３】
一般に鏡筒ユニットは撮像装置本体内に配備された構造体（シャーシ）に位置決めおよびビス止め固定されており、アクセサリーレンズの着脱構造は撮像装置本体の前面を覆う前カバーに配備され、前カバーはシャーシに位置決めおよび締結される。つまり、鏡筒ユニットの光軸とアクセサリーレンズの着脱構造部の軸中心の間には、お互いの部品が位置決めされるシャーシが介在し、寸法誤差が計上されやすい構造になっている。近年、撮像装置においては撮影レンズの高倍率化がすすんでいるため、この光軸の一致は光学性能を確保する上で、一段と重要なファクターとなってきている。鏡筒ユニットと、アクセサリーレンズ内に備えられたレンズの光軸を一致させるため、調整機構を有しているものがある（特許文献２）。
【０００４】
また、アクセサリーレンズの着脱機構を備えていない撮像装置においても、撮像装置本体を覆う前カバーに配備された鏡筒ユニットを撮像装置外部へ露呈するための開口穴と、鏡筒ユニットの隙間が不均一になるという外観上の問題がある。
【０００５】
また、鏡筒ユニットを前カバーに対して、光軸に直交する方向の位置決めをさせている撮像装置の従来例として、図２５に示されるような構造があり、これはシャーシ１０３に対して鏡筒ユニット１０２の光軸方向および光軸と直交する方向へゴムブッシュ１０６ａ，１０６ｂ，１０６ｃを介して移動可能に保持させている。以下、鏡筒ユニットを構造体（シャーシ）に対し、鏡筒ユニットの光軸方向および光軸に直交する方向に移動可能に保持することを、フローティング保持と記す。ゴムブッシュ１０６ａ，１０６ｂ，１０６ｃはシャーシ１０３の穴部１０３ａ，１０３ｂ，１０３ｃに嵌め込まれ、ネジ１０５ａ，１０５ｂ，１０５ｃにてゴムブッシュ１０６ａ〜１０６ｃおよびシャーシ１０３と共に鏡筒ユニット１０２へ締結される。前カバー１００は装置の底面側（Ａ）、側面側（Ｂ）にてシャーシ１０３に位置決めされる。前カバー１００の中央部に前カバーリング１０１が取り付けられている。つまり、前カバー１００が組み込まれる前までは鏡筒ユニット１０２はシャーシ１０３に対しゴムブッシュ１０６ａ〜１０６ｃの弾性域において移動可能に保持されており、前カバー１００に取り付けた時にはじめて、前カバーリング１０１に鏡筒ユニット１０２が直接位置決めされる。また、１０４は後カバーを表している。
【０００６】
図２６は、装置を前面から見た様子を、図２７は後カバー１０４をはずした状態で装置を背面から見た様子を、図２８は図２７のＡ−Ａ断面を、それぞれ示している。
【０００７】
図２８において、シャーシ１０３に対し、鏡筒ユニット１０２はゴムブッシュ１０６ａ，１０６ｂ，１０６ｃの弾性を利用して光軸方向、光軸に直交する方向へ移動することがわかる。鏡筒ユニット１０２の先端外周部１０２ａが、前カバーリング１０１の内周部１０１ａに入り込み、前カバーリング１０１の穴部１０１ｂの中心軸、鏡筒ユニット１０２の中心軸の同軸をとり、穴部１０１ｂと鏡筒ユニット１０２のレンズ可動部外周端１０２ｂの隙間を均一に保つようにしている。この為、シャーシ１０３や前カバー１００や鏡筒ユニット１０２の寸法精度が若干悪くても、ゴムブッシュ１０６ａ〜１０６ｃが弾性的に変形し、外観部である穴部１０１ｂとレンズ可動部外周端１０２ｂの隙間が均一に保たれる。
【特許文献１】特開平２０００−２３１１４８号公報（図１６，１７）
【特許文献２】特許第３４５３５３６号公報（図１〜３）
【発明の開示】
【発明が解決しようとする課題】
【０００８】
上記の鏡筒ユニットとアクセサリーレンズの光軸一致、および、鏡筒ユニットと前カバーの隙間不均一という外観上の問題を解決するには、撮像装置を構成している一つ一つの部品および製造時の取り付け誤差が極力小さくなるよう、各部品の寸法精度をあげる必要があり、この事は部品量産時の歩留まりの低下を招き、部品単価のアップにつながっていた。また調整機構を使用した場合には、装置の大型化やコストアップにつながり、また、アクセサリーレンズの装着後に調整機構を働かせるので、煩雑である。
【０００９】
また、図２５〜２８に示されるような、従来のフローティング保持構造では、弾性体であるゴムブッシュを利用しているため、弾性体の反発力が常に鏡筒ユニットに働き、経年変化により鏡筒ユニットの変形が起こることがある。
【００１０】
図２９は鏡筒ユニット１０２が矢印の回転方向に傾いて取り付いている様子を示している。外観部である、前カバーリング１０１の穴部１０１ｂと鏡筒ユニット１０２のレンズ可動部外周端１０２ｂの隙間は均一に保たれているが、ゴムブッシュ１０６ｃが弾性的に変形して反発力を鏡筒ユニット１０２に与えている。つまり、モーメントが常に鏡筒ユニット１０２に作用している。その結果、鏡筒ユニット１０２の光軸１０７が前カバーリング１０１の中心軸１０８からずれてしまう。
【００１１】
鏡筒ユニットの経年変化による変形は、内部には撮像レンズ群やズームを可能にする為の繰り出し機構が配備されているため、光学性能の低下や、繰り出し機構の動作不良を引き起こしていた。
【００１２】
また、鏡筒ユニットを前カバーに対して光軸方向および光軸に直交する方向に規制するために、前カバーに鏡筒ユニットを組みつける手法も考えられるが、組み付け時に、外装である前カバーに鏡筒ユニットを組み込んでしまうと、その後、シャーシなどの構造体や電子回路基板などを組み込んで行く際に、外装を傷付けてしまうことが懸念される。
【００１３】
（発明の目的）
本発明の目的は、前カバーに対する光軸方向および光軸に直交する方向の鏡筒ユニットの位置決めを精度よく行うことができる撮像装置を提供することである。
【課題を解決するための手段】
【００１４】
上記目的を達成するために、本発明は、撮影光学系を有する鏡筒ユニットと、該鏡筒ユニットを前記撮影光学系の光軸方向および光軸に直交する方向に移動可能に保持する構造体と、撮像装置の前面側を覆う前カバーとを備えた撮像装置において、前記鏡筒ユニットが、前記前カバーが組み付けられる際に、前記前カバーによって前記前カバーに対する光軸に直交する方向の位置が決められ、前記前カバーに対する光軸方向の位置が決められることを特徴としている。
【発明の効果】
【００１５】
本発明によれば、前カバーに対する光軸方向および光軸に直交する方向の鏡筒ユニットの位置決めを精度よく行うことができ、それによって、アクセサリーレンズの光軸の一致、鏡筒ユニットと前カバーの隙間の均一性を、光学性能を落とすことなく、安価に、確実に保証し、組み立て性を良くすることができる。
【発明を実施するための最良の形態】
【００１６】
本発明を実施するための最良の形態は、後述する実施例１〜４に記載の通りである。
【実施例１】
【００１７】
以下に、本発明の実施例１である撮像装置を、電子撮像装置を例にあげ、添付図面を参照して詳細に説明する。
【００１８】
図１〜図３に、実施例１である電子撮像装置の概略を示す。図１は実施例１の概略正面斜視図であり、図２は電源が投入されて鏡筒ユニットが繰り出された状態を示す概略正面斜視図であり、図３は概略背面斜視図である。
【００１９】
図１において、２００は撮像装置本体であり、前面部には撮影光学系レンズ、レンズバリア、ＣＣＤなどの撮像素子、繰り出し機構、ズーム機構、シャッターなどを具備した鏡筒ユニット２０１が一部露呈している。鏡筒ユニット２０１の内部に配置されている光学系により被写体像が撮像素子に結像される。２０２は撮像装置本体２００を右手でホールドするためのグリップ部である。
【００２０】
鏡筒ユニット２０１の右上に撮影時に光量が足りない時等に必要に応じて発光するストロボ発光窓２０３が設けられている。また、鏡筒ユニット２０１の左上部には音声入力用のマイク２０４が設けられている。
【００２１】
２０５は撮像装置本体２００の前面部を覆う前カバーである。前カバー２０５には前述のストロボ発光窓２０３を露呈する為の開口部２０５ａと、ファインダーユニットの対物レンズ２０６ａを露呈する為の開口部２０５ｂが一体的に形成されている。２０７はバヨネットリングであり、後述するアクセサリーレンズ不使用時、前カバー２０５に一体的に形成されているアクセサリーレンズ取り付け座を隠す役割を果たしている。
【００２２】
図２において、２０８は電源ボタンであり、電源を投入すると、撮影モード時には鏡筒ユニット２０１は図２に示されるように所定の位置まで繰り出す。２０９はズームダイヤルであり、時計及び反時計方向に所定の位置まで回動可能な構造になっており、鏡筒ユニット２０１に配備された撮影光学系レンズ群の位置関係を変更し、広角から望遠までズームする、撮像装置本体２００への入力インターフェースである。
【００２３】
図３において、後カバー２１０が撮像装置本体２００の背面側を覆い、後カバー２１０の中央部左には液晶表示装置２１１があり、撮像する被写体像の確認や、撮像された画像の再生表示に用いられる。２１２はシャッターボタンであり、このシャッターボタン２１２の操作により、被写体が撮像されて撮像装置本体２００内に組み込まれている記録媒体に被写体像の画像デ−タが記録される。このとき、前述のマイク２０４からの音声データも画像データと合わせて記録することができる。装置内部には音声再生用スピーカー２１３が設けられており、記録媒体に保存されている音声を再生することや、あらかじめ記録部に記録されている動作音などが再生できるようになっている。
【００２４】
また、撮像装置本体２００の底面には、撮像装置本体２００に対し開閉可能な不図示の電池蓋があり、電源となる主電池（図示しない）が撮像装置本体２００に対し、挿抜可能に挿入される。液晶表示装置２１１の上部には、ファインダーユニットの接眼レンズ２０６ｂがある。２１４はモードレバーであり、撮影モード及び再生モードを選択できるようになっている。２１５はメモリーカード蓋であり、撮像装置本体２００に対し開閉可能に配置され、メモリーカード蓋２１５が開いている際に記録媒体（メモリーカード）を挿抜可能にしている。
【００２５】
次に、実施例１の主構造体に対する鏡筒ユニットの取り付け機構について図４から図１１までを用いて詳細に説明する。
【００２６】
図４は前カバー及び後カバーを取り外した状態を示す斜視図である。
【００２７】
図５は前カバー、鏡筒ユニット、シャーシ及び段付きネジを分解した状態を示す斜視図である。
【００２８】
図６は前カバー及び鏡筒ユニットをシャーシに仮固定している状態を示す斜視図である。
【００２９】
図７は鏡筒ユニットをシャーシに仮固定している状態を示す正面図であり、図８は図７におけるＢ−Ｂ拡大断面図であり、Ｃ−Ｃ拡大断面図及びＤ−Ｄ拡大断面図を含むものである。
【００３０】
図９は鏡筒ユニットがシャーシに仮固定されている状態から前カバーに位置決めして行く状態の正面図、図１０は前カバー組み込み直前の状態を示す、図９でのＥ−Ｅ断面図、図１１は前カバー組み込み後の状態を示す、図９でのＥ−Ｅ断面図である。
【００３１】
図４において、前カバー２０５および後カバー２１０の内部には主構造体であるシャーシ２１６が配備され、鏡筒ユニット２０１が３本の段付きネジ２１７ａ，２１７ｂ，２１７ｃで仮固定されており、鏡筒ユニット２０１はシャーシ２１６に対し、光軸方向および光軸に直交する方向に移動可能にフローティング保持されている。本実施例１では段付きネジ３本にて支持しているが、ネジの数は何本でも良い。鏡筒ユニット２０１の先端外周部２０１ａは、前カバー２０５が組み込まれた時に、前カバー２０５の位置決め案内部２０５ｅ（後述）に案内され、位置決め部２０５ｄに係合して、前カバー２０５と鏡筒ユニット２０１の位置関係において、光軸に直交する方向に関する位置決め係合部として機能する。同じく鏡筒ユニット２０１の一部には小判型の長穴２０１ｂがあり、前カバー２０５から突出している回転止め用係合軸２０５ｃに係合し、前カバー２０５と鏡筒ユニット２０１の位置関係において、光軸に直交する面内での回転方向の規制を行っている。
【００３２】
鏡筒ユニット２０１には左右に光軸に直交する面内方向に突出するフランジ部２０１ｃ，２０１ｄがあり、この左右のフランジ部２０１ｃ，２０１ｄの一方の面がシャーシ２１６に当接し、他方の面が鏡筒ユニット２０１の周囲に位置するように前カバー２０５に配置された弾性体２１８ａ，２１８ｂに当接してシャーシ２１６の方向に付勢され、鏡筒ユニット２０１とシャーシ２１６の位置関係において、光軸方向の移動規制を行っている。
【００３３】
図５は、前カバー２０５、鏡筒ユニット２０１、３本の段付きネジ２１７ａ，２１７ｂ，２１７ｃ、シャーシ２１６及びシャーシ２１６に取り付けられたサイドカバー２１９の分解状態を示す斜視図であり、鏡筒ユニット２０１はシャーシ２１６に載せられ、鏡筒ユニット２０１にある仮位置決め用の係合穴２０１ｅ、２０１ｆがシャーシ２１６に配備された仮位置決め用軸部２１６ａ，２１６ｂに各々係合する。この時、仮位置決め用の係合穴２０１ｅ，２０１ｆは仮位置決め用軸部２１６ａ，２１６ｂに対し十分に大きく、シャーシ２１６に対し鏡筒ユニット２０１は光軸に直交する面内において、一定の範囲で移動可能である。仮位置決め用の係合穴２０１ｅ，２０１ｆは今回特に説明しないが、鏡筒ユニット２０１自体の組み立て時に、位置決め穴として利用することもできる。その後、段付きネジ２１７ａ，２１７ｂ，２１７ｃにて鏡筒ユニット２０１の光軸方向の規制を加える。鏡筒ユニット２０１をシャーシ２１６へ完全に固定してしまうわけではなく、所定の隙間を配してネジを止める為、鏡筒ユニット２０１はシャーシ２１６に対し光軸方向に一定の範囲で移動が可能である。段付きネジ２１７ａ〜２１７ｃを締め付けた後はシャーシ２１６は鏡筒ユニット２０１に対しフローティング保持されている状態である。
【００３４】
図６において、鏡筒ユニット２０１はシャーシ２１６に対しフローティング保持されている。前カバー２０５には弾性体２１８ａ，２１８ｂが接着固定される。本実施例１では、弾性体としてシート状の発泡体を使用しているが、ゴムやジェル状の部材、板バネやコイルスプリングを使用しても良い。前カバー２０５には鏡筒ユニット２０１の光軸に直交する方向を規制する位置決め部２０５ｄ、鏡筒ユニット２０１の光軸に直交する面内での回転を規制する為の回転止め用係合軸２０５ｃが配設されている。この位置決め部２０５ｄ、回転止め用係合軸２０５ｃが鏡筒ユニット２０１の先端外周部２０１ａ、長穴２０１ｂ（図５に示した）に各々係合し、鏡筒ユニット２０１の前カバー２０５に対する光軸方向に直交する方向の位置決めを行う。
【００３５】
また、前カバー２０５を取り付けた際は、前カバー２０５に取り付けられた弾性体２１８ａ，２１８ｂが鏡筒ユニット２０１のフランジ部２０１ｃ，２０１ｄをシャーシ２１６に押し当てるように弾性付勢を行い、シャーシ２１６に対する鏡筒ユニット２０１の光軸方向の移動も規制される。
【００３６】
図７及び図８においては、鏡筒ユニット２０１がシャーシ２１６にフローティング保持されている状態が示されている。Ｃ−Ｃ断面図において、段付きネジ２１７ｂは、鏡筒ユニット２０１のフランジ部２０１ｄの一部に段付きネジ２１７ｂを避けるように配設された穴部２０１ｇに対して光軸方向及び光軸に直交する方向に移動可能な様に、一定の隙間をあけてシャーシ２１６にネジ止めされている。Ｄ−Ｄ断面図は、前述の鏡筒ユニット２０１をシャーシ２１６へ載せる際に仮位置決めする仮位置決め用軸部２１６ａと係合穴２０１ｅを示している。
【００３７】
図９は鏡筒ユニットがシャーシに仮固定された状態で前カバーに位置決めしようとしている時の正面図、図１０は前カバー組み込み直前の状態を示す、図９でのＥ−Ｅ断面図、図１１は前カバー組み込み後の状態を示す、図９でのＥ−Ｅ断面図である。
【００３８】
図１０において、シャーシ２１６にフローティング保持されている鏡筒ユニット２０１は先端外周部２０１ａが前カバー２０５の位置決め案内部２０５ｅ（斜面）に沿って案内されることにより前カバー２０５に位置決めされて行き、光軸に対して同心円筒面をなす位置決め部２０５ｄにより最終的に位置決めされる。その後、図１１に示されるように弾性体２１８ａ，２１８ｂが鏡筒ユニット２０１をシャーシ２１６へ押し付ける方向に弾性的に付勢する。鏡筒ユニット２０１が完全に前カバー２０５に位置決めされた後に弾性体２１８ａ，２１８ｂが付勢するため、鏡筒ユニット２０１に光軸方向以外の方向から加わる余分なモーメントをかけずに、鏡筒ユニット２０１を前カバー２０５に位置決めしながら、撮像装置本体に取り付けることが可能となる。
【００３９】
次に、鏡筒ユニットとバヨネットリングとアクセサリーレンズの関係および構造を図１２から図１７までを用いて説明する。
【００４０】
図１２は撮像装置本体の斜視図、図１３はバヨネットリングが取り外された状態の撮像装置本体の斜視図、図１４はバヨネットリングのロック機構を示す断面斜視図、図１５はバヨネットリングおよび鏡筒ユニットの関係を示す断面斜視図、図１６はバヨネットリング及びアクセサリーレンズの斜視図、図１７はアクセサリーレンズ装着状態を示す斜視図である。
【００４１】
図１２において、バヨネットリング２０７はバヨネットリングロック解除ボタン２２０を矢印の方向へ押し込み、ロックを解除した状態で、光軸に対し反時計方向に４５度回転させると、前カバー２０５およびバヨネットリング２０７の各々に配設された係合部が外れ、バヨネットリング２０７を光軸方向に取り外すことができる。
【００４２】
図１３は撮像装置本体からバヨネットリング２０７を取り外した状態を示している。バヨネットリング２０７の内部に内周方向に突設した位置決め用リブ２０７ａが３箇所あり、位置決め用リブ２０７ａはバヨネットリング２０７を前カバー２０５に光軸に直交する方向の位置決めをするためのものである。２０７ｂは光軸方向の抜け止め用係合部である。また、前カバー２０５の光軸を中心とした略中央にある、膨出する略円筒形の隆起部外壁２０５ｆは、前カバー２０５に対しバヨネットリング２０７を光軸に直交する方向に規制する位置決め軸の役割を果たす。隆起部外壁２０５ｆから突設した抜け止め用係合部２０５ｇは抜け止め用係合部２０７ｂに係合して、バヨネットリング２０７の光軸方向の抜けを止めるものである。２２１はバヨネットロックプレートであり、前述のバヨネットリングロック解除ボタン２２０と連動して動き、不意にバヨネットリング２０７が回転しないようにロックする役割を果たしている。
【００４３】
図１４において、プレートシャフト２２３は、バヨネットロックプレート２２１にカシメられており、プレートシャフト２２３の周囲に配置されたスプリング２２４に抗して図１４の矢印の方向に移動可能に、バヨネットロックプレートホルダー２２２を介してｅリング２２６により組み込まれている。スプリング２２４は図１４の上方向にバヨネットロックプレート２２１を押し上げるように付勢している。バヨネットロックプレートホルダー２２２はシャーシ２１６に不図示のネジで固定されている。バヨネットリングロック解除ボタン２２０は前カバー２０５を介して、ｅリング（不図示）で図１４の矢印の方向に移動可能に組み込まれている。バヨネットリングロック解除ボタン２２０の先端はバヨネットロックプレート２２１に当接し、バヨネットロックプレート２２１に連動して動作するように配置されている。
【００４４】
図１５において、鏡筒ユニット２０１の位置決め係合部として機能する先端外周部２０１ａが、前カバー２０５の位置決め部２０５ｄに係合されている。図１５はある一断面を示しているが、先端外周部２０１ａと位置決め部２０５ｄの関係は光軸を中心に全周にわたって係合している。バヨネットリング２０７の位置決め用リブ２０７ａは前カバー２０５の隆起部外壁２０５ｆに係合している。図１５ではある一断面のみを示しているが、バヨネットリング２０７の内周方向に突設されている３箇所の位置決め用リブ２０７ａ〜２０７ｃ（図１３で説明した）が同様に隆起部外壁２０５ｆに位置決めされている。鏡筒ユニット２０１は前カバー２０５の位置決め部２０５ｄに、バヨネットリング２０７は前カバー２０５の隆起部外壁２０５ｆに、それぞれ位置決めされている。つまり、バヨネットリング２０７と鏡筒ユニット２０１の光軸においての同軸度は前カバー２０５の位置決め部２０５ｄ及び隆起部外壁２０５ｆのみにより決定され、その他の構成部品の寸法精度の影響受けることはない。
【００４５】
また、図１のバヨネットリング２０７と鏡筒ユニット２０１の外観上の隙間も、介在部品が鏡筒ユニット２０１、前カバー２０５、バヨネットリング２０７の３部品だけであるため、その他のシャーシ２１６などの構造体の寸法精度を上げなくても、この３部品の寸法精度を高めるだけで外観上の隙間を簡単に均一に保つことができる。
【００４６】
図１６において、右はバヨネットリング２０７であり、左はアクセサリーレンズ２２７である。一般的にアクセサリーレンズを装置へ取り付ける際、レンズアダプターのような中間部材を介在させることがあるが、ここでは、レンズアダプターなどの補助部材も含めてアクセサリーレンズ２２７として説明する。
【００４７】
バヨネットリング２０７及びアクセサリーレンズ２２７には全く同形状の三箇所のリブ２０７ｃ，２２７ｂが配設してあり、撮像装置本体への取り付け構造、及び位置決め精度は全く同じである。
【００４８】
図１７において、アクセサリーレンズ２２７と鏡筒ユニット２０１の取り付け状態での光軸の同軸度は、前カバー２０５のみによって決定されるため、精度が向上し、十分にアクセサリーレンズ２２７の性能を発揮することが出来る。また、アクセサリーレンズとしてはテレコンバーターレンズ、ワイドコンバーターレンズ、クローズアップレンズ、各種フィルターなどが用意されている。
【００４９】
また、本実施例１ではロック機構をともなったアクセサリーレンズ取り付け機構にて説明したが、前カバー２０５の隆起部外壁２０５ｆ及びバヨネットリング２０７の位置決め用リブ２０７ａにそれぞれネジ切り加工が施してある、ネジ締め付けによる取り付け機構であっても良い。
【００５０】
また、図１８に示されるように、バヨネットリング２０７が存在しないような構成においても、アクセサリーレンズ２２７の根元付近にネジ部２０７ａを設け、前カバー２０５の先端にネジ部２０５ｈを設けることで鏡筒ユニット２０１の光軸とアクセサリーレンズ２２７の光軸を前カバー２０５のみにより、位置決めを決定させることが可能である。
【００５１】
また、図１９に示されるように、ドーナツ型（ドーナツ型でなくても良い）の弾性体２２８を鏡筒ユニット２０１と前カバー２０５の間に配設すれば、弾性体２１８ａ，２１８ｂの効果が同様に得られると共に、弾性体２２８を遮光部材にすれば鏡筒ユニット２０１の僅かな隙間から進入する不要光線も遮蔽することが可能となる。遮光機能を有する弾性体２２８としては、濃色のゴム、濃色の発泡体、濃色のエラストマー樹脂などが考えられる。
【００５２】
また、図２０に示されるように、シャーシ２１６と鏡筒ユニット２０１のフランジ部２０１ｃ，２０１ｄの間に弾性体２２９ａ，２２９ｂを配設すれば弾性体２１８ａ，２１８ｂの効果が同様に得られると共に、撮像装置本体が不意に落下した際に鏡筒ユニット２０１に加わる衝撃を和らげる効果も同時に得ることができる。
【００５３】
また、鏡筒ユニット２０１にファインダーユニットまたはストロボユニットを併設する場合においては、図４における回転止め用係合部２０５ｃと長穴２０１ｂの関係を、ファインダーユニットもしくはストロボユニットの一部を前カバー２０５のそれぞれの付近に当接させることに置き換えることで、前カバー２０５に対する鏡筒ユニット２０１の回転規制の効果を、同様に得ることが可能である。
【実施例２】
【００５４】
実施例１では、図４にある鏡筒ユニット２０１の先端外周部２０１ａを前カバー２０５への位置決め係合部としているが、前カバーと鏡筒ユニットの光軸に直交する方向の規制はこれに限定されるわけではない。
【００５５】
実施例２では実施例１とは別の手法で行う前カバーと鏡筒ユニットの光軸に直交する方向の規制手段を説明する。
【００５６】
図２１は、鏡筒ユニット３０１、前カバー３０５、シャーシ３１６のみの正面図およびＧ−Ｇ断面図である。鏡筒ユニット３０１はシャーシ３１６に対しフローティング保持されており、前カバー３０５の内部には位置決め係合軸３０５ｉと回転止め用係合軸３０５ｃの２本の軸が突設されている。鏡筒ユニット３０１のフランジ部３０１ｃ，３０１ｄには位置決め係合軸３０５ｉと回転止め用係合軸３０５ｃが嵌まる穴が配設されている。ここでは位置決め係合軸３０５ｉは鏡筒ユニット３０１の光軸に直交する方向の位置決め用の軸、回転止め用係合軸３０５ｃは鏡筒ユニット３０１の光軸に直交する面内での回転規制を行うための係合軸である。
【００５７】
また、鏡筒ユニット３０１から軸を突設し、前カバー３０５にそれに係合する穴や凹部を配設しても同様の効果が得られる。
【００５８】
このように、鏡筒ユニット３０１と前カバー３０５の光軸に直交する方向の規制はそれぞれの部品のあらゆる場所からすることが可能である。
【実施例３】
【００５９】
実施例１では、鏡筒ユニット２０１を段付きビス２１７ａ〜２１７ｃにてフローティング保持しているが、別の手法でシャーシに鏡筒ユニットをフローティング保持する方法を説明する。
【００６０】
図２２は、鏡筒ユニット４０１、前カバー４０５、シャーシ４１６のみの正面図およびＨ−Ｈ断面図である。
【００６１】
図２２において、シャーシ４１６から一部切りおこし略同形状に配設したフック部４１６ｃ，４１６ｄ，４１６ｅ，４１６ｆを形成し、鏡筒ユニット４０１のフランジ部４０１ｃ，４０１ｄを図２３に示されるようにスライドさせながらシャーシ４１６に係合させる。この時、係止軸４１６ｇは案内部４０１ｋにより矢印の方向に撓み、係止穴４０１ｉに入り込み、係止される。この係止穴４０１ｉは係止軸４１６ｇに対し十分に大きく、鏡筒ユニット４０１はシャーシ４１６に対し光軸に直交する方向に移動可能である。係止軸４０１ｊと係止穴４１６ｈも同様な関係になっている。また、図２２（ｂ）のＨ−Ｈ断面拡大図において、鏡筒ユニット４０１のフランジ部４０１ｃはフック部４１６ｃに対し十分に隙間があり（その他のフック部４１６ｄ，４１６ｅ，４１６ｆも同様な関係で隙間がある）、鏡筒ユニット４０１はシャーシ４１６に対し光軸方向に移動可能に保持されている。
【００６２】
このように段付きビスを使用しなくても、フローティング保持が可能である。
【００６３】
さらに、スライドする方向を本実施例３では上から下へとしているが、この方向は別の方向でも良い。また、光軸を中心軸として鏡筒ユニット４０１をシャーシ４１６に回転しながら取り付ける方法でも良い。
【実施例４】
【００６４】
実施例１では、鏡筒ユニット２０１の前カバー２０５に対する光軸方向の規制は弾性体２１８ａ，２１８ｂを使用し、付勢することで行っているが、弾性体を利用せずに鏡筒ユニットを前カバー光軸方向に規制する例について説明する。
【００６５】
図２４は、鏡筒ユニット５０１、前カバー５０５、シャーシ５１６のみの正面図およびＩ−Ｉ断面図である。
【００６６】
図２４において、鏡筒ユニット５０１はシャーシ５１６に対しフローティング保持されている。
【００６７】
前カバー５０５の内部にはフック部５０５ｊ，５０５ｋ，５０５ｌが配設されている。同様に、鏡筒ユニット５０１のフランジ部５０１ｃ，５０１ｄに当接するリブ５０５ｍ、５０５ｎが配設されている。前カバー５０５を組み込んで行く際、まず実施例１のように鏡筒ユニット５０１は光軸に直交する方向の規制が前カバー５０５により行われ、その後に、フック部５０５ｊが矢印の方向に撓み、鏡筒ユニット５０１のフランジ部５０１ｃが係合し、係止される。リブ５０５ｍはストッパーの役割を果たす。この時、フランジ部５０１ｃの角部は斜面５０１ｌとなっており、フック部５０５ｊの弾性力により矢印の方向（図２４（ｂ）の上方向）に付勢される。その他のフック部５０５ｋ，５０５ｌについても同形状からなっており、同様に付勢する力が働いている。フック部５０５ｊ，５０５ｋ，５０５ｌについて、本実施例４ではプラスチック樹脂から成る前カバー５０５から一体的に突設させているが、別部材を前カバー５０５に取り付ける事でも、同様の効果が得られる。
【００６８】
また、フック部の位置や個所はこれに限定されることは無い。また、鏡筒ユニットからフック部を突設し、前カバーに係止部を設けても、同様の効果が得られる。
【図面の簡単な説明】
【００６９】
【図１】本発明の実施例１の概略正面斜視図である。
【図２】実施例１において電源を投入して鏡筒ユニットを繰り出した状態を示す概略正面斜視図である。
【図３】実施例１の概略背面斜視図である。
【図４】実施例１において前カバー及び後カバーを取り外した状態を示す斜視図である。
【図５】実施例１において前カバー、鏡筒ユニット、シャーシ及び段付きネジを分解した状態を示す斜視図である。
【図６】実施例１において前カバー及び鏡筒ユニットをシャーシに仮固定している状態を示す斜視図である。
【図７】実施例１において鏡筒ユニットをシャーシに仮固定している状態を示す正面図である。
【図８】図７におけるＢ−Ｂ拡大断面図であり、Ｃ−Ｃ拡大断面図及びＤ−Ｄ拡大断面図を含むものである。
【図９】実施例１において鏡筒ユニットがシャーシに仮固定されている状態から前カバーに位置決めして行く状態を示す正面図である。
【図１０】実施例１における前カバー組み込み直前の状態を示す、図９でのＥ−Ｅ断面図である。
【図１１】実施例１における前カバー組み込み後の状態を示す、図９でのＥ−Ｅ断面図である。
【図１２】図１とは異なる角度から見た実施例１の斜視図である。
【図１３】実施例１においてバヨネットリングを取り外した状態を示す斜視図である。
【図１４】実施例１におけるバヨネットリングのロック機構を示す断面斜視図である。
【図１５】実施例１におけるバヨネットリングおよび鏡筒ユニットの関係を示す断面斜視図である。
【図１６】バヨネットリング及びアクセサリーレンズの斜視図である。
【図１７】実施例１のアクセサリーレンズ装着状態を示す斜視図である。
【図１８】実施例１における変形例としてのネジ込み式アクセサリーレンズ取り付け機構を示す図である。
【図１９】遮光機能を兼ねさせた弾性体を有する実施例１の他の変形例を示す断面図である。
【図２０】緩衝機能を兼ねさせた弾性体を有する実施例１の別の変形例を示す断面図である。
【図２１】本発明の実施例２を示す図である。
【図２２】本発明の実施例３を示す図である。
【図２３】実施例３においてシャーシに鏡筒ユニットをフローティング保持させる過程を示す斜視図である。
【図２４】本発明の実施例４を示す図である。
【図２５】従来の鏡筒ユニットフローティング保持構造を有する撮像装置を分解した状態を示す斜視図である。
【図２６】図２５の従来の撮像装置の正面図である。
【図２７】図２５の従来の撮像装置の後カバーを取り外した状態を示す背面図である。
【図２８】図２５の従来の撮像装置の断面図である。
【図２９】図２５の従来の撮像装置の鏡筒ユニットが傾いている状態を示す断面図である。
【符号の説明】
【００７０】
２００              撮像装置本体
２０１              鏡筒ユニット
２０１ａ            先端外周部（位置決め係合部）
２０１ｂ            長穴
２０１ｃ            フランジ部
２０１ｄ            フランジ部
２０１ｅ            係合穴
２０１ｆ            係合穴
２０１ｇ            穴部
２０２              グリップ部
２０３              ストロボ発光窓
２０４              マイク
２０５              前カバー
２０５ａ            開口部
２０５ｂ            開口部
２０５ｃ            回転止め用係合軸
２０５ｄ            位置決め部
２０５ｅ            位置決め案内部
２０５ｆ            隆起部外壁（位置決め軸）
２０５ｇ            抜け止め用係合部
２０５ｈ            ネジ部
２０６              ファインダーユニット
２０６ａ            対物レンズ
２０６ｂ            接眼レンズ
２０７              バヨネットリング
２０７ａ            位置決め用リブ
２０７ｂ            抜け止め用係合部
２０７ｃ            リブ
２０８              電源ボタン
２０９              ズームダイヤル
２１０              後カバー
２１１              液晶表示装置
２１２              シャッターボタン
２１３              音声再生用スピーカー
２１４              モードレバー
２１５              メモリーカード蓋
２１６              シャーシ
２１６ａ            仮位置決め用軸部
２１６ｂ            仮位置決め用軸部
２１７ａ            段付きネジ
２１７ｂ            段付きネジ
２１７ｃ            段付きネジ
２１８ａ            弾性体
２１８ｂ            弾性体
２１９              サイドカバー
２２０              バヨネットリングロック解除ボタン
２２１              バヨネットロックプレート
２２２              バヨネットロックプレートホルダー
２２３              プレートシャフト
２２４              スプリング
２２６              ｅリング
２２７              アクセサリーレンズ
２２７ａ            ネジ部
２２７ｂ            リブ
２２８              弾性体
２２９ａ            弾性体
２２９ｂ            弾性体
３０１              鏡筒ユニット
３０１ｃ            フランジ部
３０１ｄ            フランジ部
３０５              前カバー
３０５ｃ            回転止め用係合軸
３０５ｉ            位置決め係合軸
３１６              シャーシ
４０１              鏡筒ユニット
４０１ｃ            フランジ部
４０１ｄ            フランジ部
４０１ｉ            係止穴
４０１ｊ            係止穴
４０１ｋ            案内部
４０５              前カバー
４１６              シャーシ
４１６ｃ            フック部
４１６ｄ            フック部
４１６ｅ            フック部
４１６ｆ            フック部
４１６ｇ            係止軸
４１６ｈ            係止軸
５０１              鏡筒ユニット
５０１ｃ            フランジ部
５０１ｄ            フランジ部
５０１ｌ            斜面
５０５              前カバー
５０５ｊ            フック部
５０５ｋ            フック部
５０５ｌ            フック部
５０５ｍ            リブ
５０５ｎ            リブ
５１６              シャーシ
【図１】
2006201321.tif 000003
【図２】
2006201321.tif 000004
【図３】
2006201321.tif 000005
【図４】
2006201321.tif 000006
【図５】
2006201321.tif 000007
【図６】
2006201321.tif 000008
【図７】
2006201321.tif 000009
【図８】
2006201321.tif 000010
【図９】
2006201321.tif 000011
【図１０】
2006201321.tif 000012
【図１１】
2006201321.tif 000013
【図１２】
2006201321.tif 000014
【図１３】
2006201321.tif 000015
【図１４】
2006201321.tif 000016
【図１５】
2006201321.tif 000017
【図１６】
2006201321.tif 000018
【図１７】
2006201321.tif 000019
【図１８】
2006201321.tif 000020
【図１９】
2006201321.tif 000021
【図２０】
2006201321.tif 000022
【図２１】
2006201321.tif 000023
【図２２】
2006201321.tif 000024
【図２３】
2006201321.tif 000025
【図２４】
2006201321.tif 000026
【図２５】
2006201321.tif 000027
【図２６】
2006201321.tif 000028
【図２７】
2006201321.tif 000029
【図２８】
2006201321.tif 000030
【図２９】
2006201321.tif 000031